(57)【要約】【課題】従来のエレベーター装置は、誤作動で、乗りかごが走行中あるいは他階に停止中に乗り場の扉が開き、人が惰性で昇降路の空間に身体を乗り出して転落する事故、あるいは、乗降中に乗りかごが自走して人が挟まれる事故がしばしば発生するという問題があった。【解決手段】建物と乗りかごとの間に間隔を設け、上記間隔幅の枠体を、各階乗り場開口部周縁の内壁面に敷設し、上記枠体内に、身体乗り出し防護装置及び乗りかご係留装置とを配設するように構成した。これにより、誤作動で乗り場の扉が開いても、防護装置が人の身体を支え留めて転落事故を減少させることができる。また、停止中の乗りかごが誤作動で自走しても、乗りかごが係留装置に係留されているため、上昇または下降を阻止することができる。【選択図】図１
2011144039.tif 000002
【特許請求の範囲】
【請求項１】
昇降路内のガイドレールに沿って上下動する乗りかごと、建物の開口部に開閉扉を備えた乗り場と、乗りかごの停止階における停止時に、乗りかごの扉と乗り場の扉が連動して開閉し、乗り降り可能であるエレベーター装置において、建物と乗りかごとの間に間隔を設け、上記間隔幅の枠体を、各階乗り場開口部周縁の内壁面に敷設し、上記枠体内に、身体の乗り出しを防護するための転落防護装置と乗りかごの自走を阻止するための乗りかご係留装置とを配設したことを特徴とするエレベーターの安全装置。
【発明の詳細な説明】
【技術分野】
【０００１】  本発明は、エレベーター装置の安全装置に関し、詳しくは転落及び挟まれ防止の安全装置を備えたエレベーター装置に関する。
【背景技術】
【０００２】  一般に、エレベーター装置においては、昇降路内に乗りかご、巻上機、巻上げロープ及びつり合い重りを設置し、上記巻上機の駆動により巻上げロープを介して乗りかご及びつり合い重りを昇降するように構成されている。【０００３】  また、建物側の各階の乗り場には、扉を備えた開口部を設け、乗りかごが停止階に到着するとその扉が開閉するように構成されている。【０００４】  上記エレベーター装置は、乗りかごが上下動し停止階に停止すると制御装置により乗り場側の扉が連動して開閉し、乗り降り可能となる構成になっている。【０００５】  ところが、このようなエレベーター装置においては、しばしば、装置の故障、電子系統の誤作動等から様々な事故が発生し社会問題になっている。【０００６】  たとえば、２００９年１１月８日付の産経新聞朝刊では、荷物用エレベーターのかごがなかったことから、転落するなどの事故が相次ぎ、３年間に全国で３７人が死亡していることが７日、厚生労働省の調査で分かった、として、さらに、けが人は２００人以上に上る。かごがなく、階下に止まっていたかごの上に転落して死亡。荷物用エレベーターの天井とフロアの床に挟まれて死亡などの事故が相次いでいる、と報道している。【０００７】  そこで、エレベーターの安全装置については、従来、精度の高い技術が数多く提案されている。経済性を度外視すれば、事故率の限りなくゼロに近いエレベーター装置の提供は従来技術により十分可能と思量される。しかし、エレベーター装置は、超高級ホテル、超高層ビルから中・低層のビル、マンション等まで用途や形態により態様は様々であり、すべてのエレベーター装置が一律に、精度の高い技術を備えていると言い切れない事情がある。たとえば、上述のように、荷物用エレベーターなどしばしば事故が発生しているのが実情である。
【発明の概要】
【発明が解決しようとする課題】
【０００８】  以上のように従来のエレベーター装置は、乗りかごが停止階のあらかじめ定められた位置に確実に停止し、乗り場と乗りかごとの間を人が移動する間は完全に静止していなければならない。さらに、乗り場の扉は、乗りかごが到着すると乗りかごの扉と連動して開閉し、乗りかごが到着しない場合は開いてはならない。すなわち、乗りかごの上下動と乗り場の扉の開閉につき、両装置の動作の完全な一致が要求されており、一つ一つは精度の高い技術でも、いずれか一方の装置に誤作動が発生すると、ただちに、エレベーター装置全体の事故につながるという構造的に厳しい条件を抱えている。【０００９】  さらに、当初安全であるエレベーター装置も永年の使用により経年劣化、部品の摩耗等は避けられない。これを定期的に検査し補修し安全の精度が保たれているが、部材の隠れた瑕疵、技術的見落とし、人為的判断ミス等を完全に払拭することは難しく、誤作動で、乗りかご停止階以外の階において乗り場の扉が開閉する事故、あるいは、人が乗降中に乗りかごが自走する事故など、常に、危険に晒されているという問題がある。【００１０】  本発明は、このような問題を解決しようとするものであり、従来技術である乗りかごの上下動及び乗り場の扉の開閉動作等の特徴はそのまま生かしつつ、万一、誤作動が発生した場合の備えとして、乗りかごの扉と乗り場の扉との中間に新たな安全装置を設置し、第１に、乗りかごが走行中あるいは他階に停止中に乗り場の扉が開き、人が惰性で昇降路の空間に身体を乗り出して転落する事故、第２に、乗降中に乗りかごが自走して人が建物と乗りかごの間に挟まれる事故を減少し得るエレベーター装置を得ることを目的とする。
【課題を解決するための手段】
【００１１】  そして、本発明は上記目的を達成するため、昇降路内の建物と乗りかごとの間に間隔を設け、建物の乗り場開口部周縁の内壁面に、上記間隔幅の下枠と左右の立枠と上枠の４方枠で構成する安全装置用の枠体を各階に敷設したものである。【００１２】  上記第１の課題解決手段による作用は次のとおりである。昇降路内の空間を有効活用することにより、建物壁面の外側に張り出す形でスペースが生じ、様々な安全装置の設置が可能となる効果がある。【００１３】  また、上記枠体内に、誤作動で乗り場の扉が開いたとき、防護部材により人の身体を支え留めて転落を防止するための防護装置を配設したものである。【００１４】  上記第２の課題解決手段による作用は、誤作動で乗り場の扉が開き、人が惰性で昇降路の空間に身体を乗り出したとき、防護部材により人の身体を支え留めて転落事故を減少させる効果がある。【００１５】  また、上記枠体の左右立枠の脇に、乗り場側の内壁面に平行して、係留部材用の２本の縦管を下枠から上枠まで間隔を空けてそれぞれ立設し、上記係留部材用縦管の略３分の１及び３分の２の位置に係留部材を支持する円形の支持孔をそれぞれ設け、丸棒状の上下２本の係留部材を上記支持孔に水平に挿入して上記左右係留部材用縦管にそれぞれ井桁状に差しわたし、上記上下２本の係留部材はコの字状に連結軸で連結されている。さらに、上記左右立枠に、上記左右係留部材がそれぞれ係合う位置に円型の挿入孔を設け、乗りかごの到着時に、上記左右係留部材は上記挿入孔を通過して外側に開閉可能である乗りかごの係留装置を配設したものである。【００１６】  一方、昇降路の乗り場側の内壁面に、乗りかご用左右２本のＵ字型ガイドレールを、上記枠体の左右立枠のそれぞれ外側に各階ごとに接合して、上下方向に敷設したものである。【００１７】  さらに、乗りかごの乗り場面の左右両端に、上記枠体下枠幅のプレート状の袖をそれぞれ接合、上記左右袖は、上記左右ガイドレールのＵ字型の溝に挟持され安定して昇降するように構成したものである。【００１８】  また、上記左右袖と上記左右ガイドレールには、上記左右縦枠の挿入孔と同一水平線上にそれぞれ挿入孔を設けたものである。【００１９】  上記第３の課題解決手段による作用は、乗りかごの停止時に、上記係留部材が左右に開かれると水平にスライドして外側へ張り出し、上記立枠とＵ字型ガイドレールと乗りかごの袖の各挿入孔を貫通して係留部材がかんぬき状態となり、乗りかごが係留装置を介して建物壁面に係留され、停止中の乗りかごが、万一、誤作動で自走しても、乗りかごの上昇または下降を阻止することで事故を減少させる効果がある。【００２０】  さらに、上記係留装置に、乗りかご自走感知装置と警報装置を設けたものである。【００２１】上記第４の課題解決手段による作用は、乗りかごの荷重と係留部材の強度の関係で、係留が支えきれない場合でも、警報装置が係留装置の異常を知らせて緊急脱出に役立つことができる。
【発明の効果】
【００２２】  上述したように、本発明のエレベーター装置の安全装置は、建物と乗りかごとの間に間隔を設け、上記間隔幅の枠体を、各階乗り場開口部周縁の内壁面に敷設したので、建物壁面の外側に張り出す形のスペースが生じ、様々な安全装置の設置が可能となる。【００２３】  また、乗りかご扉と乗り場の扉の中間に防護装置を配設したので、万一、誤作動で停止階以外の階の乗り場の扉が開いても、直接、昇降路の空間ではなく防護装置が存在するため、人が惰性で建物の開口部から外側へ身体を乗り出した場合でも支え留めて転落事故を減少させることができる。【００２４】  また、上記枠体内に乗りかご係留装置を配設したので、停止中の乗りかごが、万一、誤作動で自走しても、乗りかごが係留装置を介して建物壁面に係留されているため、上昇または下降を阻止することができる。
【図面の簡単な説明】
【００２５】
【図１】本発明の実施形態を示す正面図。
【図２】図１に対応した平面図。
【図３】図１における乗りかご停止時の状態を示す正面断面図。
【図４】図３に対応した平面図。
【図５】図１〜図４に対応した側面図。
【図６】本発明の実施形態を示す乗りかごの斜視図。
【発明を実施するための形態】
【００２６】  以下、本発明の実施の形態を図１〜図６に基づいて説明する。
【００２７】  図１は、本発明の一実施の形態を示す図で昇降路１側から見た乗り場と防護装置１０と係留装置１６の正面図であり、図２は、図１に対応した平面図で昇降路１の頂部からみた断面図である。また、図３は、乗りかご２が停止階において停止状態にある時の形態を示す正面図であり、図４は、図３に対応した平面図である。図５は、図１〜図４に対応した側面図で、乗りかご２の停止階及び不在階のＵ字型ガイドレール１７の外側である。図６は、本発明の一実施の形態における乗りかご２の斜視図である。
【００２８】  以下、第１の実施の形態について、図１〜図６に基づいて説明する。昇降路１内の建物と乗りかご２との間に間隔を設け、建物の乗り場開口部周縁の内壁面に、乗り場から乗りかご２へ鉛直方向を上記間隔幅、横幅を略乗りかご横幅とする架橋と、上記架橋を下枠３として、左右両端に左右立枠４と、上記左右立枠４の上部に上記下枠３と平行して上枠５とを有し、下枠３と左右立枠４と上枠５との４方枠で構成する枠体６を各階に敷設し、様々な装置を支持できるように構成されている。
【００２９】  また、上記枠体６内に左右係留装置１６より内側の位置に、防護扉支持用の縦管７を下枠３から上枠５にかけて左右に立設し、下枠３に、防護扉９の開閉を案内するガイドレール８を上記左右防護扉用縦管７の間に設け、さらに、底部にガイドローラーを備えた略高さ１２０〜１５０ｃｍ、間隔２０〜３０ｃｍの柵状の防護部材で成る防護扉９を上記防護扉用縦管７に支持されてそれぞれ設置し、上記ガイドレール８に案内されて開閉する防護装置１０を配設するように構成している。
【００３０】  このように構成することにより、乗りかご２が走行中あるいは他階に停止中に、万一、誤作動で乗り場の扉２１が開き、人が惰性で昇降路１の空間に身体を乗り出したとき、防護部材により人の身体が支え留められ転落事故を減少することができる。
【００３１】  また、上記枠体６の左右立枠４の脇に、乗り場側の内壁面に平行して、係留部材用の２本の縦管１１を下枠３から上枠５まで間隔を空けてそれぞれ立設し、上記係留部材用縦管１１の略３分の１及び３分の２の位置に係留部材１３を支持する円形の支持孔１２をそれぞれ設け、丸棒状の上下２本の係留部材１３を上記支持孔１２に水平に挿入して上記左右係留部材用縦管１１にそれぞれ井桁状に差しわたし、上記上下２本の係留部材１３はコの字状に連結軸１４で連結されている。さらに、上記左右立枠４に、上記左右係留部材１３がそれぞれ係合う位置に円型の挿入孔１５を設け、乗りかご２の到着時に、上記左右係留部材１３は挿入孔１５を通過して外側に開閉可能である乗りかご２の係留装置１６を配設するように構成されている。
【００３２】  一方、昇降路１の乗り場側の内壁面に、乗りかご用左右２本のＵ字型ガイドレール１７が、上記枠体６の左右立枠４のそれぞれ外側に各階ごとに接合して、上下方向に敷設されており、上記左右２本のＵ字型ガイドレール１７に乗りかご２が係合され、その乗りかご２がガイドレール１７に案内されて昇降するように構成されている。
【００３３】  また、図５は乗りかご２に左右袖１９を接合した状態を示す斜視図である。乗りかご２の乗り場側面の左右両端に、先端にガイドローラー１８を備えた高さ乗りかご縦幅、鉛直方向上記枠体下枠幅のプレート状の袖１９をそれぞれ接合、上記左右袖１９は、上記左右ガイドレール１７のＵ字型の溝に挟持され安定して昇降するように構成されている。
【００３４】  さらに、上記左右袖１９と上記左右ガイドレール１７には、上記左右立枠４の挿入孔１５と同一水平線上にそれぞれ挿入孔１５が設けられている。
【００３５】  したがって、乗りかご２の停止時に、上記係留部材１３を左右に開くと水平にスライドして外側へ押し出され、上記立枠４と上記Ｕ字型ガイドレール１７と上記袖１９の各挿入孔１５をそれぞれ貫通して係留部材１３がかんぬき状態となり、停止中の乗りかご２が、万一、誤作動で自走しても、乗りかご２が係留装置１３を介して建物壁面に係留されているため、上昇または下降を阻止できるように構成されている。
【００３６】  本発明の第１の実施例は、以上説明したように構成されているので、従来技術とは安全装置という意味で重複するものの、本発明は、具体的な部材で阻止するという特徴があり、制御システム上の安全装置とは違った意味で誤作動の備えとすることができる。また、乗りかご２の到着後、防護装置１０及び係留装置１６の開閉が直接操作可能であるので、特に、荷物用エレベーターの場合、作業員は安全の確認ができ安心して作業ができる効果がある。
【００３７】  以上、本発明の第１の実施例について説明したが、以下、順次他の実施例を示す。以下、第２の実施例について説明する。上記枠体６内に電動機と駆動装置を備えた収納部を設け、一方、乗り場と乗りかご２と携帯用リモコンとにそれぞれ実施例１の上記防護扉９及び係留部材１３の開閉を指示する制御釦を備え、乗りかご２の到着時に、上記制御釦の指示により、上記駆動装置を介して開閉する実施例１の防護装置１０及び係留装置１６を配設するように構成されている。
【００３８】  本発明の第２の実施例は、以上説明したように構成されているので、乗りかご２本体の制御装置とは別の制御システムにより制御されるように構成されているで、制御システムが同時に誤作動する確率は低く、事故を低減することができる。
【００３９】  以下、第３の実施例について説明する。上記枠体６内に電動機と駆動装置を備えた収納部を設け、従来技術である制御装置の指示により、乗りかごの扉２０と乗り場の扉２１が連動して開閉する一方、乗り場扉２１の開閉から時間差を設けて一拍遅れの制御設定により、実施例１の上記防護扉９及び係留部材１３が上記駆動装置を介して開閉する防護装置１０及び係留装置１６を配設するように構成されている。
【００４０】  本発明の第３の実施例は、以上説明したように構成されているので、乗り場扉２１の開閉から一拍遅れに制御設定により、エレベーター利用者は防護扉９の存在を目視で確認できるので注意を喚起できるので、一般用エレベーターに用いて効果がある。
【００４１】  以下、第４の実施例について説明する。実施例３の防護装置１０と係留装置１６において、上記防護扉９の外側に上記係留部材１３を連結し、上記左右係留部材用２本の縦管１１の内、それぞれ内側の縦管は防護扉支持用の縦管７を兼ね、防護扉９と係留部材１３とが一体として成る防護装置１０及び係留装置１６として設置され、乗りかご２の停止時に、乗りかご扉２０と乗り場の扉２１と防護扉９と係留部材１３とが制御装置により上記駆動装置を介して連動して開閉する防護装置１０及び係留装置１６を配設するように構成されている。
【００４２】  以下、第５の実施例について説明する。実施例１乃至４において、上記係留部材１３に、上記乗りかごの袖１９と係合う位置の上下部分にそれぞれ感知装置を備え、乗りかご２が停止中に上下動すると上記乗りかごの袖１９を通して上記感知装置を押圧し、感知装置は係留装置１０の異常を感知して、別に備えた警報装置に感知信号を伝え警報音を発するように構成されている。
【００４３】  このように構成することにより、乗りかご２の荷重と係留装置１６の強度の関係で、係留が支えきれない場合でも、警報装置が乗りかごの自走を知らせて緊急脱出に役立つことができる。
【００４４】  以下、第６の実施例について説明する。上記防護装置１０と係留装置１６との位置関係は、実施例１の場合、係留装置１６が枠体の左右奥側に、また、防護装置１０がその内側に並列されているが、枠体６の間隔幅に余裕がある場合、上記防護装置１０と係留装置１６は乗り場面に平行に配置しても良い。
【００４５】  以下、第７の実施例について説明する。上記防護装置１０と係留装置１６は、両装置ともに設置することが望ましいが、昇降路のスペースやコストの関係でいずれか一方だけの設置でもよく、少なくとも転落事故または挟まれ事故のいずれかを防止する効果がある。また、昇降路のスペース足りず枠体の敷設が難しい場合、乗り場の扉をやや後退させて建物の開口部先端に防護装置１０だけ設置してもよい。
【００４６】  以下、第８の実施例について説明する。また、上記防護装置１０は瞬時、人の動きを遮る強度があればよく、扉、カーテン、シャッター、フェンス、巻き上げ、両開き、片開き、網、柵等の形態と、鋼材、紐、布、プラスチック等の素材に関し設計に自由度がある。
【００４７】  以下、第９の実施例について説明する。上記係留部材１３は乗りかご２の荷重を安定して支える強度があればよく、係留部材１３の数については、実施例１の場合は上下２本であったが、強度と安定感を補強するためさらに本数を増してよく、それぞれの係留部材１３の数に対応させて実施例１と同一の装置を備え、たとえば、係留部材１３が３本の場合はヨの字型の連結軸１４に連結してもよい。
【符号の説明】
【００４８】  １  昇降路、２  乗りかご、３  下枠、４  立枠、５  上枠、６  枠体、７  防護扉用縦管、８  防護扉用ガイドレール、９  防護扉、１０  防護装置、１１  係留部材用縦管、１２  支持孔、１３  係留部材、１４  連結軸、１５  挿入孔、１６  係留装置、１７  乗りかご用Ｕ字型ガイドレール、１８  乗りかごのガイドローラー、１９  乗りかごの袖、２０  乗りかごの扉、２１  乗り場の扉。
【図１】
2011144039.tif 000003
【図２】
2011144039.tif 000004
【図３】
2011144039.tif 000005
【図４】
2011144039.tif 000006
【図５】
2011144039.tif 000007
【図６】
2011144039.tif 000008